(57)【特許請求の範囲】
【請求項１】
一端から他端に亘って略水平方向に延設されて遊技球を収容する収容箱を載置可能な膳板が形成されるとともに、当該膳板に沿って複数のパチンコ遊技機が並設されたパチンコ遊技機の島設備において、
前記膳板には、隣接するパチンコ遊技機の間に対応する位置に磁力を発生し得る磁力発生手段が配設されるとともに、前記磁力発生手段は、前記膳板の幅方向に亘って延びる棒状の永久磁石から成り、その上面が前記膳板の上面と面一となるように設置されることによって前記膳板の延設方向に摺動する前記収容箱との干渉が回避されつつ当該膳板の上面側に臨ませて配設されたことを特徴とするパチンコ遊技機の島設備。
【請求項２】
前記磁力発生手段は、膳板の延設方向に複数列設けられたことを特徴とする請求項１記載のパチンコ遊技機の島設備。
【発明の詳細な説明】
【技術分野】
【０００１】
本発明は、一端から他端に亘って略水平方向に延設されて遊技球を収容する収容箱を載置可能な膳板が形成されるとともに、当該膳板に沿って複数のパチンコ遊技機が並設されたパチンコ遊技機の島設備に関するものである。
【背景技術】
【０００２】
パチンコ遊技機の島設備は、パチンコ店内ホールに設置され、複数のパチンコ遊技機が横並びに配設されるとともに、それらパチンコ遊技機に対して電力の供給や遊技球の供給及び回収等を行い得るよう構成されている。かかるパチンコ遊技機の島設備においては、従来より、一端から他端に亘って略水平方向に延設されつつ遊技球を収容する収容箱（所謂ドル箱）を載置可能な膳板が形成されている（例えば、特許文献１参照）。
【先行技術文献】
【特許文献】
【０００３】
【特許文献１】特開２００１−２０４９００号公報
【発明の概要】
【発明が解決しようとする課題】
【０００４】
しかしながら、上記従来のパチンコ遊技機の島設備においては、一端から他端に亘って略水平方向に延設した膳板が形成されているため、その膳板に収容箱を載置しつつ遊技者が隣り合ってそれぞれ着座した場合、当該収容箱から溢れ落ちた遊技球が隣の遊技者の前方まで転がってしまうことがあり、隣の台まで手を伸ばすと気まずい雰囲気になることもある。
【０００５】
然るに、特許文献１で開示された膳板では、パチンコ遊技機毎に仕切り兼ハンドレストを設け、パチンコ遊技機や収容箱から溢れた遊技球が隣のパチンコ遊技機前まで転がらないように構成されているものの、膳板に対してパチンコ遊技機毎に仕切りを設けてしまうと、灰皿やジュースを膳板に載置するスペースに制限ができてしまうとともに、閉店後の膳板の拭き掃除に際して当該仕切りが邪魔になってしまうという不具合があった。
【０００６】
本発明は、このような事情に鑑みてなされたもので、膳板上のスペースに制限ができてしまうのを回避しつつ、膳板に溢れた遊技球が隣り合って着座した遊技者の前方まで転がってしまうのを抑制することができるパチンコ遊技機の島設備を提供することにある。
【課題を解決するための手段】
【０００７】
請求項１記載の発明は、一端から他端に亘って略水平方向に延設されて遊技球を収容する収容箱を載置可能な膳板が形成されるとともに、当該膳板に沿って複数のパチンコ遊技機が並設されたパチンコ遊技機の島設備において、前記膳板には、隣接するパチンコ遊技機の間に対応する位置に磁力を発生し得る磁力発生手段が配設されるとともに、前記磁力発生手段は、前記膳板の幅方向に亘って延びる棒状の永久磁石から成り、その上面が前記膳板の上面と面一となるように設置されることによって前記膳板の延設方向に摺動する前記収容箱との干渉が回避されつつ当該膳板の上面側に臨ませて配設されたことを特徴とする。
【０００９】
請求項２記載の発明は、請求項１記載のパチンコ遊技機の島設備において、前記磁力発生手段は、膳板の延設方向に複数列設けられたことを特徴とする。
【発明の効果】
【００１１】
請求項１の発明によれば、膳板には、隣接するパチンコ遊技機の間に対応する位置に磁力を発生し得る磁力発生手段が配設されたので、膳板上を転がった遊技球が磁力発生手段に至ると、当該遊技球を磁力で吸引してその位置で留まらせることができることから、膳板上のスペースに制限ができてしまうのを回避しつつ、膳板に溢れた遊技球が隣り合って着座した遊技者の前方まで転がってしまうのを抑制することができる。
さらに、磁力発生手段は、その上面が膳板の上面と面一となるように設置されたので、膳板に溢れた遊技球に対してより確実に磁力を付与させることができるとともに、収容箱を隣り合う位置まで摺動させつつ隣のパチンコ遊技機の前方に移動する際、当該収容箱が磁力発生手段と干渉してしまうのを回避することができる。
【００１２】
さらに、磁力発生手段は、永久磁石から成るので、低コストにて当該磁力発生手段を膳板に配設させることができる。
【００１３】
請求項２の発明によれば、磁力発生手段は、膳板の延設方向に複数列設けられたので、膳板に溢れた遊技球が隣合って着座した遊技者の前方まで転がってしまうのをより確実に抑制することができるとともに、その遊技球の帰属をより明確にすることができる。
【図面の簡単な説明】
【００１５】
【図１】本発明の実施形態に係るパチンコ遊技機の島設備を示す全体斜視図
【図２】同パチンコ遊技機の島設備の内部構成を示す側面模式図
【図３】同パチンコ遊技機の島設備における膳板を示す平面図
【図４】図３におけるＩＶ−ＩＶ線断面図
【図５】参考例としてのパチンコ遊技機の島設備における膳板を示す断面図
【図６】本発明の他の実施形態に係るパチンコ遊技機の島設備における膳板を示す平面図
【発明を実施するための形態】
【００１６】
以下、本発明の実施形態について図面を参照しながら具体的に説明する。
本実施形態に係るパチンコ遊技機の島設備は、図１に示すように、遊技店に設置されるとともにパチンコ遊技機２が複数並列して設置された島状のものから成る。かかる島設備１は、それぞれのパチンコ遊技機２に電力を供給し得るとともに、各パチンコ遊技機２に遊技球を供給し或いは回収する流路を具備したものである。
【００１７】
本実施形態で適用されるパチンコ遊技機２は、ガラス板が取り付けられた前面枠を有しており、該ガラス板から遊技者が遊技盤を目視し得るように構成されており、この遊技盤の遊技領域には、図柄表示手段、始動口や大入賞口等の種々役物が配設されている。そして、ハンドルを回転操作することにより、遊技球が遊技盤に発射され、所定の入賞口に入賞或いは最下のアウト穴に至るよう構成されている。
【００１８】
島設備１は、パチンコ遊技機２に電力を供給し得る電力供給手段（不図示）を具備するとともに、図２に示すように、遊技球を各パチンコ遊技機２側に流下させるべく島設備１上にて一時的に遊技球を収容する島上タンク５や、パチンコ遊技機２における入賞口或いはアウト穴から導かれた遊技球を一時的に収容するプールタンク６等が配設されている。尚、島設備１内には、遊技球を研磨するための研磨装置や、該研磨装置で研磨された遊技球を順次島上タンク５に揚送するリフタ等が配設されており、島設備１内において遊技球が循環し得るようになっている。
【００１９】
更に、島設備１においては、遊技者が着座する側に突出させて膳板３が配設されている。かかる膳板３は、各島設備１の一端から他端に亘って略水平方向に延設されて遊技球を収容する収容箱Ｄ（所謂ドル箱）を載置可能な板状部材から成るもので、この膳板３に沿って複数のパチンコ遊技機２が並設された状態とされている。即ち、遊技者は、パチンコ遊技機２の前方に着座して、そのパチンコ遊技機２の下方に位置する膳板３上に自分の収容箱Ｄを載置して遊技を行い得るようになっているのである。
【００２０】
ここで、本実施形態においては、膳板３には、図３、４に示すように、隣接するパチンコ遊技機２の間に対応する位置に永久磁石４（磁力発生手段）が配設されている。かかる永久磁石４は、周知の通り、磁力を発生し得るもので、膳板３の幅方向（図３中上下方向）に亘って延びる棒状のものから成る。尚、適用される永久磁石４として、例えばアルニコ磁石、フェライト磁石或いはネオジム磁石等が挙げられる。
【００２１】
尚、膳板３は、木製の板から成る木板部３ｂと、該木板部３ｂの上面及び縁面を覆うステンレス部材３ａとから主に構成されている。また、膳板３の幅は、収容箱Ｄを載置し得る寸法とされるとともに、手前側（遊技者側であって図４中左端側）の縁部が上方に突出して成る突出部３ａａが形成されている。かかる突出部３ａａによって、収容箱Ｄから溢れた遊技球が手前側に落下し難いようになっている。
【００２２】
而して、永久磁石４は、隣接するパチンコ遊技機２の前方に位置する膳板３を隔成する如く配設されており、これにより収容箱Ｄから溢れて膳板３上を転がった遊技球が永久磁石４に至ると、当該遊技球を磁力で吸引してその位置で留まらせることができることから、膳板３上のスペースに制限ができてしまうのを回避しつつ、膳板３に溢れた遊技球が隣り合って着座した遊技者の前方まで転がってしまうのを抑制することができる。
【００２３】
更に、本実施形態においては、図４に示すように、永久磁石４（磁力発生手段）は、その上面４ａが膳板３の上面３ａｂと面一となるように設置されている。これにより、永久磁石４を膳板３の上面３ａｂ側に臨ませているので、膳板３に溢れた遊技球に対してより確実に磁力を付与させることができるとともに、収容箱Ｄを隣り合う位置まで摺動させつつ隣のパチンコ遊技機２の前方に移動する際、当該収容箱Ｄが永久磁石４（磁力発生手段）と干渉してしまうのを回避することができる。
【００２４】
参考例として、図５に示すように、木板部３ｂに永久磁石４を埋め込んで、ステンレス部材３ａの裏面側（下側）に配設するようにしてもよい。この場合、上記の如く永久磁石４の上面４ａを膳板３の上面側に臨ませるものに比べ、溢れた遊技球に対して及ぼす磁力は小さくなってしまうものの、膳板３の上面の略全域がステンレス部材３ａの表面３ａｂとすることができ、見栄えを向上させることができる。
【００２５】
以上、本実施形態について説明したが、本発明はこれに限定されるものではなく、例えば図６に示すように、永久磁石４（磁力発生手段）を膳板３の延設方向（図中左右方向）に２列設けるものとしてもよい。この場合、膳板３に溢れた遊技球が隣合って着座した遊技者の前方まで転がってしまうのをより確実に抑制することができるとともに、左側の永久磁石４で吸引された遊技球は左側の遊技者のもの、右側の永久磁石４で吸引された遊技球は右側の遊技者のものであることが明らかとなるので、その遊技球の帰属をより明確にすることができる。尚、同図の如く永久磁石４を２列配設しているが、３列以上の複数列配設するようにしてもよい。
【００２６】
更に、本実施形態においては、隣接するパチンコ遊技機２の間に対応する膳板３の位置に磁力を発生し得る永久磁石４を配設しているが、磁力を発生し得るものであれば他の磁力発生手段（例えば電磁石等）を配設するようにしてもよい。尚、永久磁石４等の磁力発生手段は、その外観形状が本実施形態の如く棒状のものに限らず、板状のもの等であってもよい。
【産業上の利用可能性】
【００２７】
膳板には、隣接するパチンコ遊技機の間に対応する位置に磁力を発生し得る磁力発生手段が配設されるとともに、磁力発生手段は、膳板の幅方向に亘って延びる棒状の永久磁石から成り、その上面が膳板の上面と面一となるように設置されることによって膳板の延設方向に摺動する収容箱との干渉が回避されつつ当該膳板の上面側に臨ませて配設されたパチンコ遊技機の島設備であれば、外観形状が異なるもの或いは他の機能が付加されたもの等にも適用することができる。
【符号の説明】
【００２８】
１  島設備
２  パチンコ遊技機
３  膳板
４  永久磁石（磁力発生手段）
５  島上タンク
６  プールタンク
Ｄ  収容箱
【図１】
0005530144.tif 000002
【図２】
0005530144.tif 000003
【図３】
0005530144.tif 000004
【図４】
0005530144.tif 000005
【図５】
0005530144.tif 000006
【図６】
0005530144.tif 000007